(57)【要約】【課題】  輸送効率および保管効率を向上することができ、商品ストッカーの仕切りも容易であるストッカー付き商品陳列装置を提供する。【解決手段】  左右方向に並べた３本以上の支柱１と、支柱１の下端部から前方に延設されたベース脚７と、互いに隣接する１対の支柱１の前面に架設されて支柱の前方に張り出す棚板３と、最下段の棚板３の下方に設けた商品のストッカー４とからなる商品陳列装置において、ストッカー４における内部空間を仕切る仕切板１２の下端を、中間の支柱１の下端に設けたベース脚７上に載置するとともに、仕切板１２の上部を、左右に隣接する最下段の棚板３の側端間に挟んで支持したことを特徴とする商品陳列装置。【選択図】  図２
2005198713.tif 000002
【特許請求の範囲】
【請求項１】
左右方向に並べた３本以上の支柱と、これら支柱の下端部から前方に延設されたベース脚と、互いに隣接する１対の支柱の前面に架設されて支柱の前方に張り出す棚板と、最下段の棚板の下方に設けた商品のストッカーとからなる商品陳列装置において、前記ストッカーにおける内部空間を仕切る仕切板の下端を、中間の支柱の下端に設けたベース脚上に載置するとともに、前記仕切板の上部を、左右に隣接する最下段の棚板の側端間に挟んで支持したことを特徴とする商品陳列装置。
【請求項２】
仕切板の下端部を、ベース脚の上面に設けた受け具における両側片間に嵌合したことを特徴とする請求項１記載の商品陳列装置。
【請求項３】
中間のベース脚上に載置した仕切板の下端部を、前記ベース脚の上面両側部に載置した互いに隣接する底板の側部の外向きフランジにより挟んで支持したことを特徴とする請求項１記載の商品陳列装置。
【請求項４】
中間のベース脚の上面に、仕切板の下端部が嵌合しうる凹溝を設けたことを特徴とする請求項１記載の商品陳列装置。
【請求項５】
ストッカーを、ベース脚の先端部に着脱自在に結合した前柱と、この前柱の前面に左右両縁が取付けられた方形の枠、およびこの枠に開閉自在に装着された扉を含む扉セットと、この扉セットの後方の空間を包囲する複数の板材とによって組み立てたことを特徴とする請求項１〜４のいずれかに記載の商品陳列装置。
【発明の詳細な説明】
【技術分野】
【０００１】
本発明は、下端部に商品ストッカーを備えた商品陳列装置に関する。
【背景技術】
【０００２】
商品陳列装置には、支柱の前方に張り出して商品を陳列する棚板の外に、在庫の商品を収容しておく箱型または組立て式のストッカーを下端部に備えるものがある（例えば特許文献１〜５参照）。
【特許文献１】特開２００１−１９０３６９号公報
【特許文献２】特開２００１−３２１２４９号公報
【特許文献３】特開２００１−２５８６９９号公報
【特許文献４】実公平５−４０７７３号公報
【特許文献５】実公昭５２−４１４７３号公報
【発明の開示】
【発明が解決しようとする課題】
【０００３】
支柱が３本以上となって、左右に広がる商品陳列装置の場合、その下端部に設置される商品ストッカーの左右の方向に長い内部空間を、前後方向に延びる仕切板によって適宜仕切ることが望ましい。
【０００４】
しかし、仕切板は、商品陳列装置の内部に設置されるものであるため、商品陳列装置の外側面に装着される部材と比べて、設置作業が煩瑣になるおそれがある。
【０００５】
本発明は、上記事情に鑑み、ストッカーの内部空間を仕切る仕切板を容易に設置することができるようにした商品陳列装置を提供することを目的としている。
【課題を解決するための手段】
【０００６】
本発明によると、上記課題は、次のようにして解決される。
(１)  左右方向に並べた３本以上の支柱と、これら支柱の下端部から前方に延設されたベース脚と、互いに隣接する１対の支柱の前面に架設されて支柱の前方に張り出す棚板と、最下段の棚板の下方に設けた商品のストッカーとからなる商品陳列装置において、前記ストッカーにおける内部空間を仕切る仕切板の下端を、中間の支柱の下端に設けたベース脚上に載置するとともに、前記仕切板の上部を、左右に隣接する最下段の棚板の側端間に挟んで支持する。
【０００７】
(２)  上記(１)項において、仕切板の下端部を、ベース脚の上面に設けた受け具における両側片間に嵌合する。
【０００８】
(３)  上記(１)項において、中間のベース脚上に載置した仕切板の下端部を、前記ベース脚の上面両側部に載置した互いに隣接する底板の側部の外向きフランジにより挟んで支持する。
【０００９】
(４)  上記(１)項において、中間のベース脚の上面に、仕切板の下端部が嵌合しうる凹溝を設ける。
【００１０】
(５)  上記(１)〜(４)項のいずれかにおいて、ストッカーを、ベース脚の先端部に着脱自在に結合した前柱と、この前柱の前面に左右両縁が取付けられた方形の枠、およびこの枠に開閉自在に装着された扉を含む扉セットと、この扉セットの後方の空間を包囲する複数の板材とによって組み立てる。
【発明の効果】
【００１１】
(１)  請求項１記載の発明によると、仕切板を、左右方向に隣接する最下段の棚板の側端間(すなわち支柱の前方)の隙間から落としこみ、仕切板の下端をベース脚の上面に載置するとともに、仕切板の上部を上記両棚板の側端によって挟みつけて、左右に倒れないように支持するため、仕切板の設置を、特別の部材や作業なしにきわめて簡単に行うことができる。
【００１２】
(２)  請求項２記載の発明によると、受け具によって、仕切板の下端をより安定に支持することができる。
(３)  請求項３記載の発明によると、商品陳列装置が通常備える部材のみによって、仕切板の下端をより安定に支持することができる。
(４)  請求項４記載の発明によると、凹溝によって、仕切板の下端をより安定に支持することができる。
(５)  請求項５記載の発明によると、箱型ストッカーのように、運搬・保管の際に不要なスペースを占有することがなく、かつ特に煩瑣な扉の組立て作業をなくし、容易にストッカーを組み立てることができる。
【発明を実施するための最良の形態】
【００１３】
図１〜図３は、本発明の第１の実施形態を示す。
この商品陳列装置は、左右方向に並べた３本の支柱(１)と、これらの支柱(１)の間に配設した２枚の背面板(２)と、支柱(１)の前方に張り出して左右に並ぶ２枚の棚板(３)と、最下段の棚板(３)（他の棚板は図示略）の下方にあって在庫の商品を収容しておくストッカー(４)とを備えている。
【００１４】
各支柱(１)の前面に上下方向に２列に設けられた係合孔(1a)に、ブラケット(５)の後端部が係合され、前方に延出する左右１対のブラケット(５)(５)上に、各棚板(３)の左右両端部が載置、支持されている。最下段の棚板(３)(３)は、ストッカー(４)の蓋または天板の役割も果たす。
【００１５】
ストッカー(４)は、両開き式の２つの扉セット(６)(６)を備えている。但し、扉は、引き違い戸など、他のものでもよい。
【００１６】
各支柱(１)の下端部前面からは、角管状のベース脚(７)が前方に延設されている。各棚板(３)の左右両側の前部は、短寸の前柱(８)によってそれぞれ支持されている。中央の前柱(８)は、左方の棚板(２)の右前隅と、右方の棚板(２)の左前隅を支持している。
【００１７】
前柱(８)の下端部後面には、ベース脚(７)の前端開口部に嵌挿される嵌挿部材(９)（左方のものは図示せず）が装着されている。
【００１８】
互いに隣接する１対のベース脚(７)間には、底板(10)が、また左右の各ベース脚(７)(７)とその直上のブラケット(５)(５)とには、左右の側面カバー(11)(11)がそれぞれ着脱自在に配置され、扉セット(６)(６)、背面板(２)(２)、および棚板(３)(３)と併せて、ストッカー(４)の周囲を仕切っている。各側面カバー(11)は、その内面上部に設けた係止片(11a)を、ブラケット(５)に、また内面下部に設けた係止片(11b)を、ベース脚(７)にそれぞれ係止することにより、商品陳列装置の下部側面に着脱自在に装着されている。
【００１９】
扉セット(６)は、方形の枠(6a)にすでに蝶番（図示せず）を介して扉(6b)が取付けてあるため、枠(6a)の左右側縁に列設した爪(6c)（各扉セットの右側部分のもののみを示す）を、前柱(８)前面の対応する位置に設けた係合孔(8a)に係合させるだけで、簡単に取付けることができる。
【００２０】
仕切板(12)は、受け具(13)を介して、中間のベース脚(７)の上面に安定に支持されている。図３に示すように、ベース脚(７)の上面には、受け具(13)の止め孔(14)が穿設されている。受け具(13)は、二枚の平行な側片(13a)(13a)を、仕切板(12)の幅を保持しながら下縁部同士を連結片(13b)によって連結したものである。側片(13a)(13a)と連結片(13b)の連結部(13c)には、前後の両方向から切込み(13d)(13e)が設けられている。
【００２１】
したがって、例えば受け具(13)を前方にやや傾け、まず前方の切込み(13d)を止め孔(14)の前縁部(14a)と係合させ、ついで受け具(13)を水平に戻して、若干後方にスライドさせれば、後方の切込み(13e)が止め孔(14)の後縁部(14b)と係合し、受け具(13)は、止め孔(14)に係止される。
【００２２】
この状態で、仕切板(13)を、２枚の棚板(３)(３)とこれを支持する中央の２つのブラケット(５)(５)の間の間隙に上方から滑り込ませれば、仕切板(13)は、受け具(14)に受け止められ、また上部は左右の棚板(３)(３)の互いに隣接する側端間に挟まれて、左右方向への移動やがたつきが阻止されている。
【００２３】
本実施形態においては、嵌挿部材(10)の上面に、弾性的に撓曲しうる爪(15)を設け、他方ベース脚(７)の嵌挿部材(９)が嵌挿される部分の上面には係合孔(16)を穿設してある。したがって、嵌挿部材(９)の嵌挿時には、爪(15)は下方に撓曲しながらベース脚(７)の内部を進み、係合孔(16)の箇所で元の形状を回復して、嵌挿部材(９)をベース脚(７)から抜け止めし、前柱(８)を強固に固定することができる。
【００２４】
図４は、本発明の第２の実施形態における仕切板の受け装置を示す。前実施形態と同一の要素には同一の符号を付してある。
【００２５】
この実施形態においては、左右の底板(10)(10)の中央側の側片(10a)(10a)の上端に設けた外向きフランジ(10b)(10b)が、仕切板(12)の厚み分の間隙を開けて、ベース脚(７)の上面に載置されている。したがって、仕切板(12)を棚板(３)(３)とブラケット(５)(５)の間に通せば、仕切板(12)の下端部は、左右のフランジ(10b)(10b)の間を通ってベース脚(７)の上面に当接する。仕切板(12)の下端部は、両フランジ(10b)(10b)によって、左右の移動が阻止される。本実施形態によれば、前実施形態における受け具(13)のような特別な部材を設けなくても、仕切板(12)を安定に支持することができる。
【００２６】
図５は、本発明の第３の実施形態における仕切板の受け装置を示す。これまでの実施形態と同一の要素には同一の符号を付してある。
【００２７】
この実施形態においては、中間のベース脚(７)の上面に前後方向を向く凹溝(21)が設けられている。この凹溝(21)の左右の幅は、仕切板(12)が嵌合しうるものとしてある。
【００２８】
したがって、仕切板(12)を棚板(３)(３)とブラケット(５)(５)の間に通せば、仕切板(12)の下端部は、凹溝(21)の底に当接する。本実施形態によれば、仕切板(12)の下端部は、凹溝(21)の側壁によって、より安定に左右のぶれが抑えられる。この実施形態は、底板(10)を設けない場合に有効である。
【図面の簡単な説明】
【００２９】
【図１】本発明の第１の実施形態を示す斜視図である。
【図２】同じく、分解斜視図である。
【図３】同じく、仕切板の受け具を示す要部拡大斜視図である。
【図４】本発明の第２の実施形態における仕切板の受け装置を示す要部正断面図である。
【図５】本発明の第３の実施形態における仕切板の受け装置を示す要部正断面図である。
【符号の説明】
【００３０】
(１)支柱
(1a)係合孔
(２)背面板
(３)棚板
(４)ストッカー
(５)ブラケット
(６)扉セット
(6a)枠
(6b)扉
(７)ベース脚
(８)前柱
(９)嵌挿部材
(10)底板
(10a)側部
(10b)外向きフランジ
(11)側面カバー
(11a)(11b)係止片
(12)仕切板
(13)受け具
(13a)側片
(13b)連結片
(13c)連結部
(13d)(14e)切込み
(14)止め孔
(15)爪
(16)係合孔
(21)凹溝
【図１】
2005198713.tif 000003
【図２】
2005198713.tif 000004
【図３】
2005198713.tif 000005
【図４】
2005198713.tif 000006
【図５】
2005198713.tif 000007